(57)【特許請求の範囲】
【請求項１】
一次圧力導入口と二次圧力取出口との間の流路を開閉する開閉弁；
二次圧力取出口の圧力とばね圧との差圧を受けて作動し、二次圧力取出口の圧力がばね圧より弱いとき上記開閉弁を開き、強いとき該開閉弁を閉じる作動ピストン体；
上記作動ピストン体を支持したハウジングに、該作動ピストン体に対する直進接離移動を可能に回動を規制して支持されたばね受けピストン；
この作動ピストンとばね受けピストンとの間に配設され、作動ピストンに上記ばね圧を及ぼすばね手段；
上記ハウジングに回動調節可能に支持された調圧ノブ；
上記ばね受けピストンの調圧ノブとの対向面に、該調圧ノブの回動中心を中心に形成された円筒カム面；及び
上記調圧ノブに支持され、この円筒カム面に当接する押しピン部材；
を備え、上記円筒カム面は、調圧ノブに対してばね受けピストンを接離させる傾斜面を備えており、
上記押しピン部材は、調圧ノブに螺合されていて、円筒カム面の軸方向に位置調節可能であることを特徴とする簡易型レギュレータ。
【請求項２】
請求項１記載のレギュレータにおいて、ばね受けピストンには、調圧ノブの押しピン部材と係脱して、調圧ノブの回動範囲を一回転未満に規制するストッパ部材が備えられている簡易型レギュレータ。
【請求項３】
一次圧力導入口と二次圧力取出口との間の流路を開閉する開閉弁；
二次圧力取出口の圧力とばね圧との差圧を受けて作動し、二次圧力取出口の圧力がばね圧より弱いとき上記開閉弁を開き、強いとき該開閉弁を閉じる作動ピストン体；
上記作動ピストン体を支持したハウジングに、該作動ピストン体に対する直進接離移動を可能に回動を規制して支持されたばね受けピストン；
この作動ピストンとばね受けピストンとの間に配設され、作動ピストンに上記ばね圧を及ぼすばね手段；
上記ハウジングに回動調節及び軸方向のロック位置とアンロック位置との間を一定距離移動可能に支持された調圧ノブ；
上記ロック位置で調圧ノブをハウジングにロックし、アンロック位置で回動自由とするロック機構；
上記調圧ノブに対して相対軸方向移動が自由で、調圧ノブが回動するとき一緒に回動するようにハウジングに回動可能に支持されたノブ支持座；
上記ばね受けピストンのノブ支持座との対向面に、該調圧ノブの回動中心を中心に形成された円筒カム面；
上記ノブ支持座に支持され、この円筒カム面に当接する押しピン部材；
を備え、
上記円筒カム面は、調圧ノブに対してばね受けピストンを接離させる傾斜面を備えていることを特徴とする簡易型レギュレータ。
【請求項４】
請求項３記載のレギュレータにおいて、調圧ノブは、軸方向のロック位置に移動付勢されている簡易型レギュレータ。
【発明の詳細な説明】
【０００１】
【技術分野】
本発明は、導入一次圧をほぼ一定圧の二次取出圧に下降させて取り出す簡易型レギュレータに関し、特にその調圧機構に関する。
【０００２】
【従来技術およびその問題点】
この種のレギュレータは一般に、一次圧力導入口と二次圧力取出口との間の流路を開閉する開閉弁と、二次圧力取出口の圧力とばね圧との差圧を受けて作動し、二次取出圧力がばね圧より強いときこの開閉弁を閉じ、弱いとき該開閉弁を開く作動ピストン体とを備えている。このレギュレータでは、取出二次圧力を調節するため、作動ピストン体に及ぼすばね圧を大小に調節する調圧機構をさらに有するが、従来の調圧機構は、作動ピストンとばね受けピストンの間に、作動ピストンにばね圧を及ぼす圧縮ばねを挿入し、このばね受けピストンを送りねじ機構で作動ピストンに対して接離させる構成であった。この送りねじ機構を用いた従来の調圧機構は、精密な調圧ができるという利点があるが、反面、調圧に時間がかかり、一定圧力の反復設定の頻度が高い使用目的には不向きであった。
【０００３】
【発明の目的】
本発明は、このような問題意識に基づき、迅速な反復調圧が可能な簡易型レギュレータを得ることを目的とする。
また、本発明は、調圧位置に簡単にロックすることができる簡易型レギュレータを得ることを目的とする。
【０００４】
【発明の概要】
本発明の簡易型レギュレータは、一次圧力導入口と二次圧力取出口との間の流路を開閉する開閉弁；二次圧力取出口の圧力とばね圧との差圧を受けて作動し、二次取出圧力がばね圧より弱いとき上記開閉弁を開き、強いとき該開閉弁を閉じる作動ピストン体；作動ピストン体を支持したハウジングに、該作動ピストン体に対する直進接離移動を可能に回動を規制して支持されたばね受けピストン；この作動ピストンとばね受けピストンとの間に配設され、作動ピストンに上記ばね圧を及ぼすばね手段；ハウジングに回動調節可能に支持された調圧ノブ；ばね受けピストンの調圧ノブとの対向面に、該調圧ノブの回動中心を中心に形成された円筒カム面；及び調圧ノブに支持され、この円筒カム面に当接する押しピン部材；を設け、この円筒カム面に、調圧ノブに対してばね受けピストンを接離させる傾斜面を設け、押しピン部材は、調圧ノブに螺合させて、円筒カム面の軸方向に位置調節可能としたことを特徴としている。
【０００５】
ばね受けピストンには、調圧ノブの押しピン部材と係脱して、調圧ノブの回動範囲を一回転未満に規制するピンや壁からなるストッパ部材を設けることが好ましい。
【０００６】
また本発明は、別の態様によると、一次圧力導入口と二次圧力取出口との間の流路を開閉する開閉弁；二次圧力取出口の圧力とばね圧との差圧を受けて作動し、二次圧力取出口の圧力がばね圧より弱いとき開閉弁を開き、強いとき該開閉弁を閉じる作動ピストン体；作動ピストン体を支持したハウジングに、該作動ピストン体に対する直進接離移動を可能に回動を規制して支持されたばね受けピストン；この作動ピストンとばね受けピストンとの間に配設され、作動ピストンに上記ばね圧を及ぼすばね手段；ハウジングに回動調節及び軸方向のロック位置とアンロック位置との間を一定距離移動可能に支持された調圧ノブ；ロック位置で調圧ノブをハウジングにロックし、アンロック位置で回動自由とするロック機構；調圧ノブに対して相対軸方向移動が自由で、調圧ノブが回動するとき一緒に回動するようにハウジングに回動可能に支持されたノブ支持座；ばね受けピストンのノブ支持座との対向面に、該調圧ノブの回動中心を中心に形成された円筒カム面；ノブ支持座に支持され、この円筒カム面に当接する押しピン部材；を設け、円筒カム面に、調圧ノブに対してばね受けピストンを接離させる傾斜面を設けたことを特徴としている。
【０００７】
調圧ノブのロック機構は、例えば、調圧ノブに固定された、外周に複数のロック溝を有するスターホイルと；調圧ノブのロック位置でこのスターホイルのロック溝とハウジングに形成したロック溝とに跨がって嵌まるロックボールと；調圧ノブのロック位置でロックボールがスターホイルのロック溝から離脱するのを許さず、アンロック位置で許す、スターホイルの外周面に設けたテーパ面と；から構成することができる。調圧ノブは、軸方向のロック位置に移動付勢することが好ましい。
【０００８】
【発明の実施形態】
図示実施形態は、いずれも家庭用のビールサーバに用いるレギュレータに本発明を適用したものである。図１ないし図３は、本発明の第一の実施形態を示している。ハウジング１１は、アッパハウジング１１ａとロワハウジング１１ｂとからなり、ロワハウジング１１ｂには、一次圧力導入口（生ビール用のセットではボンベ接続口）１２と、二次圧力取出口（同タンク接続口）１３とが開口し、この一次圧力導入口１２と二次圧力取出口１３とが連通路１４を介して連通している。連通路１４には、弁ロッド１６が緩通され、この弁ロッド１６のテーパ弁部１６ａが連通路１４の下端の弁座１４ａに接離して流路を閉開する。弁ロッド１６は、圧縮ばね１７により、テーパ弁部１６ａが弁座１４ａに着座する方向に常時移動付勢されている。なお、一次圧力導入口１２内には、該一次圧力導入口１２をガスボンベのノズルに螺合させたとき、該ボンベの封板を突き破り、連通路１４とガスボンベ内を連通させる突起１５が設けられている。
【０００９】
固定ねじ１１ｃで結合されるアッパハウジング１１ａとロワハウジング１１ｂの間には、作動ピストン体１８のダイアフラム１９の周縁が挟着保持されており、この作動ピストン体１８、ダイアフラム１９及びロワハウジング１１ｂによって、二次圧力取出口１３に連通する二次圧力室２０が画成されている。筒状をなすアッパハウジング１１ａ内には、作動ピストン体１８の上部に位置するばね受けピストン２１が支持されており、この作動ピストン体１８とばね受けピストン２１との間に、圧縮コイルばね２２が挿入されている。アッパハウジング１１ａの内壁には、軸線と平行な直進案内溝２３が形成されており、この直進案内溝２３に、ばね受けピストン２１に支持したガイドボール２４が嵌まっている。従って、ばね受けピストン２１は、アッパハウジング１１ａに対する回動が規制され、作動ピストン体１８に対する直進移動のみ可能である。
【００１０】
作動ピストン体１８は、圧縮コイルばね２２の力により下降端に位置する状態では、圧縮ばね１７の力に抗して弁ロッド１６の上端を押し、テーパ弁部１６ａを弁座１４ａから離座させる。よって、一次圧力導入口１２と二次圧力取出口１３が連通する。一方、二次圧力室２０（二次圧力取出口１３）内の圧力により、作動ピストン体１８が上昇して弁ロッド１６から離れると、圧縮ばね１７の力により弁ロッド１６のテーパ弁部１６ａが弁座１４ａに着座して、一次圧力導入口１２と二次圧力取出口１３の連通を遮断する。二次圧力取出口１３の圧力の大小により、以上の動作が繰り返される結果、一次圧力導入口１２の圧力に拘らず、二次圧力取出口１３に取り出される圧力は、ほぼ一定となる。
【００１１】
調圧機構は、ばね受けピストン２１の上下位置を調整し、作動ピストン体１８に及ぼされる圧縮コイルばね２２の圧力を調整することにより、二次圧力取出口１３の取出圧力を調整するものである。アッパハウジング１１ａには、ロックリング２５を介して有底筒状の調圧ノブ２６が回動のみ可能に支持されている。ばね受けピストン２１には、その上面の調圧ノブ２６との対向面に、該ピストンの中心を中心とする円筒カム２７が形成されており、調圧ノブ２６には、この円筒カム２７のカム面２８に当接する押しピン部材３０が螺合されている。カム面２８は、図２、図３に示すように、高平面部２８ａ、低平面部２８ｃ、及びこの高平面部２８ａと低平面部２８ｃを滑らかに接続する傾斜面２８ｂとを有しており、高平面部２８ａには、押しピン部材３０と当接して調圧ノブ２６の回動範囲を一回転未満に制限するストッパピン３１が打ち込まれている。
【００１２】
上記構成の本簡易型レギュレータによると、調圧ノブ２６を回動させて、押しピン部材３０とカム面２８との当接位置を変えることにより、二次圧力取出口１３の取出圧力を調整することができる。すなわち、押しピン部材３０を高平面部２８ａに当接させた状態は、ばね受けピストン２１が最も作動ピストン体１８側に接近した状態であって作動ピストン体１８に作用する圧縮コイルばね２２の圧力が最も大きく、よって、二次圧力取出口１３に取り出される圧力は最も高くなる。逆に押しピン部材３０を低平面部２８ｃに当接させた状態は、ばね受けピストン２１が最も作動ピストン体１８から離れた状態であって作動ピストン体１８に作用する圧縮コイルばね２２の圧力が最も小さく、よって、二次圧力取出口１３に取り出される圧力は最も低くなる。押しピン部材３０を傾斜面２８ｂのどこかに当接させれば、以上の最高圧力と最低圧力の間の取出圧力が得られる。さらに、押しピン部材３０の調圧ノブ２６に対する螺合位置を調節し、ばね受けピストン２１側への突出量を調整することで、設定圧力の微調整も可能となる。ストッパピン３１により、調圧ノブ２６の回動範囲を一回転未満に制限すると、より調整が容易になり、アッパハウジング１１ａと調圧ノブ２６との間に指標を設けることで、調圧レベルの表示ができる。
【００１３】
図４ないし図６は、本発明の第二の実施形態を示す。この実施形態は、調圧ノブ２６Ａを、図４に示すロック位置と、図５に示すアンロック位置とに軸方向に移動可能として、ロック位置では回動不能とし、かつ、ロック位置に移動付勢した実施形態である。アッパハウジング１１ａの上端部には、段部１１ｄ及び抜け止めリング３３を介して、ノブ支持座３４が回動自在に支持されている。調圧ノブ２６Ａの中心部には、このノブ支持座３４の軸部を摺動自在に貫通するスターホイル体３５が固定ねじ３６で固定されており、スターホイル体３５には、その下端部に、スターホイル３７が一体に設けられている。
【００１４】
スターホイル３７は、図６に示すように、その外周に一定間隔で複数のロック溝３８を有するもので、いずれか一つのロック溝３８には、直進案内溝（ロック溝）２３に嵌めたロックボール３９が嵌まる。調圧ノブ２６Ａは、圧縮ばね４０により、ロックボール３９がいずれかのロック溝３８に嵌まる上方（ロック位置）に移動付勢されている。スターホイル３７の外周面は、調圧ノブ２６Ａを圧縮ばね４０の力に抗して押し下げたときには、ロックボール３９をロック溝３８から離脱させ直進案内溝２３内で移動させて調圧ノブ２６Ａの回動を許すように、テーパ面３７ａからなっている。
【００１５】
押しピン部材３０は、ノブ支持座３４の雌ねじ穴４１に螺合されており、スターホイル３７に形成した貫通穴４２を通って、スターホイル３７の下面に突出し、ばね受けピストン２１の円筒カム２７のカム面２８に当接している。押しピン部材３０の上端部は、調圧ノブ２６Ａの大径穴４３に緩通している。この他の構成要素は、図１ないし図３の実施形態と同様であり、同一の構成要素には、同一の符号を付している。
【００１６】
この実施形態によると、従って、図４に示すように、調圧ノブ２６Ａに軸方向の外力を加えない状態では、調圧ノブ２６Ａ及びスターホイル体３５は圧縮ばね４０の力により上昇端に位置し、このとき、スターホイル３７のロック溝３８と直進案内溝２３との間には、ロックボール３９が介在して調圧ノブ２６Ａの回動を許さない。すなわちロックされている。これに対し、調圧するときには、図５のように、調圧ノブ２６Ａを圧縮ばね４０の力に抗して押し下げると、ロックボール３９はロック溝３８から離脱し直進案内溝２３内を移動できるようになる。よって、調圧ノブ２６Ａを回動させて、ノブ支持座３５と一緒に押しピン部材３０を回動させることにより、上述のように調圧作業を行なうことができる。調圧後、調圧ノブ２６Ａを開放すれば、圧縮ばね４０の力により、再び図４のロック位置に戻る。
【００１７】
図７、図８は、本発明の第三の実施形態を示す。この実施形態は、調圧ノブ２６Ａを押し下げて調圧する第二の実施形態とは逆に、調圧ノブ２６Ｂを引き上げて調圧するようにした実施形態である。調圧ノブ２６Ｂとノブ支持座３４との間には、調圧ノブ２６Ｂを下降する方向に付勢する圧縮ばね４４が挿入されており、図７に示すこの調圧ノブ２６Ｂの下降位置で、ロックボール３９がアッパハウジング１１ａに形成したロック溝４５とスターホイル３７のロック溝３８との間に保持され、調圧ノブ２６Ｂの回動がロックされる。この状態から調圧ノブ２６Ｂを圧縮ばね４４の力に抗して引き上げ、図８の状態にすると、ロック溝３８からロックボール３９が外れ、調圧ノブ２６Ｂの回動が自由になる。よって、調圧ノブ２６Ｂを回動させて上述のように調圧作業を行なうことができ、調圧後、調圧ノブ２６Ｂを開放すれば、圧縮ばね４４の力により、再び図７のロック位置に戻る。
【００１８】
【発明の効果】
本発明の簡易型レギュレータによれば、迅速な反復調圧が可能である。さらに調圧位置に簡単にロックすることができる簡易型レギュレータが得られる。
【図面の簡単な説明】
【図１】本発明による簡易型レギュレータの第一の実施形態を示す縦断面図である。
【図２】円筒カム面を有するばね受けピストン単体の縦断面図である。
【図３】同円筒カム面の平面図である。
【図４】本発明による簡易型レギュレータの第二の実施形態を示す、ロック状態の縦断面図である。
【図５】同アンロック状態の縦断面図である。
【図６】スターホイルとロックボールの平面図である。
【図７】本発明による簡易型レギュレータの第三の実施形態を示す、ロック状態の縦断面図である。
【図８】同アンロック状態の縦断面図である。
【符号の説明】
１１  ハウジング
１２  一次圧力導入口
１３  二次圧力取出口
１４  連通路
１６  弁ロッド
１８  作動ピストン体
２０  二次圧力室
２１  ばね受けピストン
２２  圧縮コイルばね
２３  直進案内溝（ロック溝）
２４  ガイドボール
２６  ２６Ａ  ２６Ｂ  調圧ノブ
２７  円筒カム
２８  カム面
２８ａ  高平面部
２８ｂ  傾斜面
２８ｃ  低平面部
３０  押しピン部材
３１  ストッパピン
３４  ノブ支持座
３５  スターホイル体
３７  スターホイル
３８  ロック溝
３９  ロックボール
４５  ロック溝
【図１】
0004018206.tif 000002
【図２】
0004018206.tif 000003
【図３】
0004018206.tif 000004
【図４】
0004018206.tif 000005
【図５】
0004018206.tif 000006
【図６】
0004018206.tif 000007
【図７】
0004018206.tif 000008
【図８】
0004018206.tif 000009